(57)【要約】【課題】装飾リングを省略した場合でも、表示板の外周を覆う立体的な意匠を維持して、見栄えの低下を抑止することができる計器装置を提供すること。【解決手段】移動体の状況を表示する表示板２１ａ（２２ａ）と、該表示板２１ａ（２２ａ）を臨ませる開口１１，１２を有する見返し板１０と、を備える計器装置１であって、表示板２１ａ（２２ａ）の外周を覆うと共に見返し板１０の開口１１（１２）の縁から表示板２１ａ（２２ａ）とは逆側に隆起した環状構造に見返し板１０に一体形成されたリング取り付け壁３０を備え、リング取り付け壁３０には、表示板の外周を装飾する装飾リング４０を結合するための複数のリング係止部３１を備える。【選択図】図４
2014134486.tif 000002
【特許請求の範囲】
【請求項１】
移動体の状況を表示する表示板と、
該表示板を臨ませる開口を有する見返し板と、
を備える計器装置であって、
前記表示板の外周を覆うと共に前記見返し板の前記開口の縁から前記表示板とは逆側に隆起した環状構造となるように前記見返し板に一体形成されたリング取り付け壁を備え、
前記リング取り付け壁には、前記表示板の外周を装飾する装飾リングを結合するための複数のリング係止部を備えたことを特徴とする計器装置。
【請求項２】
請求項１に記載の計器装置であって、
前記リング係止部は、前記リング取り付け壁の外周面に当該外周面の軸線方向に沿って形成された案内溝部と、該案内溝部の前記見返し板側の端部において径方向内側に窪んで形成された係止孔部と、を備え、
前記複数のリング係止部は、前記リング取り付け壁の周方向に等間隔で配置されていることを特徴とする計器装置。
【請求項３】
請求項２に記載の計器装置であって、
前記案内溝部は、溝の内隅に丸みを付けたことを特徴とする計器装置。
【請求項４】
請求項１〜３のいずれか一項に記載の計器装置であって、
前記装飾リングは、前記リング取り付け壁の頂部に重なる環状のリング本体と、該リング本体の裏面から延出して前記リング係止部に係合する複数の係止片と、該係止片の外側を覆って前記係止片と前記リング係止部との係合構造を隠すように前記リング本体に延設された複数の飾り板片と、を備えることを特徴とする計器装置。
【発明の詳細な説明】
【技術分野】
【０００１】
本発明は、車両、船舶、航空機等の移動体に搭載される計器装置に関する。
【背景技術】
【０００２】
車両、船舶、航空機等の移動体には、各種の計測手段が計測した情報を移動体の乗員に対して表示する計器装置が搭載されている。
図１０は、下記特許文献１に開示された計器装置の断面図である。
【０００３】
特許文献１の計器装置１００は、車両の速度を表示する速度計で、略円盤状に形成された文字板１１０と、指針１１２と、文字板１１０を支持する計器ケース１２０と、該計器ケース１２０の裏面に配置された制御用の回路基板１３０と、文字板１１０の前面側に配置されると共に文字板１１０を臨ませる開口１４１を有した見返し板１４０と、見返し板１４０の開口１４１の縁に装着された装飾リング１５０と、計器全体の前面を覆う透明カバー１６０と、を備えている。
【０００４】
文字板１１０の前面には、速度表示用の目盛りと、文字が装備されている。指針１１２は、回路基板１３０に搭載された回転駆動部１３１により回転駆動される。回転駆動部１３１は、不図示の速度検出手段から送信される速度信号に基づいて、指針１１２を回転駆動する。
【０００５】
装飾リング１５０は、見返し板１４０から前方に突出する立体構造で見返し板１４０の外周に立体的な装飾効果を付与する。装飾リング１５０は、一般に樹脂製であるが、装飾効果を高めるために、表面に金色又は銀色等のメッキ処理が施される。
【先行技術文献】
【特許文献】
【０００６】
【特許文献１】特開２００８−１６４３９２号公報
【発明の概要】
【発明が解決しようとする課題】
【０００７】
ところで、装飾リング１５０は、見返し板１４０とは別体の部品で、製造後に、見返し板１４０における開口１４１の周縁部に、取り付けられる。そのため、部品の増加や組み立て工程の増加を招く。
【０００８】
そのため、安価な車両に装備する計器装置の場合は、装飾リング１５０の装備を省略して、部品や組立工程の増加を防止したいという要望がある。
【０００９】
ところが、特許文献１の計器装置１００では、装飾リング１５０を装着しない場合では、見返し板１４０の開口１４１の周囲が平坦面となって、立体的な意匠を喪失することから、計器装置１００としても見栄えが著しく低下してしまう。
【００１０】
そこで、本発明の目的は、上記課題を解消することに係り、装飾リングを省略した場合でも、表示板の外周を覆う立体的な意匠を維持して、見栄えの低下を抑止することができる計器装置を提供することにある。
【課題を解決するための手段】
【００１１】
本発明の前述した目的は、下記の構成により達成される。
（１）  移動体の状況を表示する表示板と、
該表示板を臨ませる開口を有する見返し板と、
を備える計器装置であって、
前記表示板の外周を覆うと共に前記見返し板の前記開口の縁から前記表示板とは逆側に隆起した環状構造となるように前記見返し板に一体形成されたリング取り付け壁を備え、
前記リング取り付け壁には、前記表示板の外周を装飾する装飾リングを結合するための複数のリング係止部を備えたことを特徴とする計器装置。
【００１２】
（２）  上記（１）に記載の計器装置であって、
前記リング係止部は、前記リング取り付け壁の外周面に当該外周面の軸線方向に沿って形成された案内溝部と、該案内溝部の前記見返し板側の端部において径方向内側に窪んで形成された係止孔部と、を備え、
前記複数のリング係止部は、前記リング取り付け壁の周方向に等間隔で配置されていることを特徴とする計器装置。
【００１３】
（３）  上記（２）に記載の計器装置であって、
前記案内溝部は、溝の内隅に丸みを付けたことを特徴とする計器装置。
【００１４】
（４）  上記（１）〜（３）のいずれか一つに記載の計器装置であって、
前記装飾リングは、前記リング取り付け壁の頂部に重なる環状のリング本体と、該リング本体の裏面から延出して前記リング係止部に係合する複数の係止片と、該係止片の外側を覆って前記係止片と前記リング係止部との係合構造を隠すように前記リング本体に延設された複数の飾り板片と、を備えることを特徴とする計器装置。
【００１５】
上記（１）の構成によれば、装飾リングの装着を省いた場合は、見返し板の開口の縁に一体形成されているリング取り付け壁が計器装置の前面側に露出する。このリング取り付け壁は、表示板とは逆側に隆起した環状構造であるため、表示板の外周に立体的な装飾効果を付与することができる。従って、上記（１）の構成によれば、装飾リングを省略した場合でも、表示板の外周を覆う立体的な意匠を維持して、見栄えの低下を抑止することができる。
【００１６】
また、装飾リングをリング取り付け壁に装着した場合には、装飾リングによって更に見栄えを向上させることができる。
【００１７】
上記（２）の構成によれば、リング取り付け壁をその前方から視た場合、リング取り付け壁の外周には複数の案内溝部が周方向に等間隔で並び、案内溝部自体が装飾効果を高める凹凸部となり、装飾リングの装着を省いた場合でも、装飾効果の低下を抑止することができる。
【００１８】
上記（３）の構成によれば、リング係止部を構成する案内溝部は、溝の内隅に丸みを付けたことで、装飾性が高まり、装飾リングの装着を省いた場合における装飾効果の低下を更に軽減することができる。
【００１９】
上記（４）の構成によれば、リング取り付け壁に装飾リングを装着した場合に、装飾リング上の係止片とリング取り付け壁上のリング係止部との係合構造は、装飾リングに装備された飾り板片によって覆われる。従って、無骨な係合構造が外部に露呈せず、装飾リングによる装飾効果を更に向上させることができる。
【発明の効果】
【００２０】
本発明による計器装置によれば、装飾リングを省略した場合でも、表示板の外周を覆う立体的な装飾効果を維持することができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明の一実施形態の計器装置において装飾リングを装着した状態の正面図である。
【図２】図２は本発明の一実施形態の計器装置において装飾リングを装着しない状態の正面図である。
【図３】図３は本発明の一実施形態の見返し板に装飾リングが装着された状態の斜視図である。
【図４】図４は図３のＡ−Ａ断面図である。
【図５】図５は本発明の一実施形態の見返し板に一体形成されたリング取り付け壁の斜視図である。
【図６】図６は図５に示したリング取り付け壁の部分拡大図である。
【図７】図７は図６に示したリング取り付け壁の背面側から視た斜視図である。
【図８】図８は本発明の一実施形態の装飾リングの構造を示す要部斜視図である。
【図９】図９は図８に示した飾り板片の斜視図である。
【図１０】図１０は従来の計器装置の縦断面図である。
【発明を実施するための形態】
【００２３】
以下、本発明に係る計器装置の好適な実施形態について、図面を参照して詳細に説明する。
【００２４】
図１〜図９は本発明に係る計器装置の一実施形態を示したもので、図１は本発明の一実施形態の計器装置において装飾リングを装着した状態の正面図、図２は本発明の一実施形態の計器装置において装飾リングを装着しない状態の正面図、図３は本発明の一実施形態の見返し板に装飾リングが装着された状態の斜視図、図４は図３のＡ−Ａ断面図、図５は本発明の一実施形態の見返し板に一体形成されたリング取り付け壁の斜視図、図６は図５に示したリング取り付け壁の部分拡大図、図７図６に示したリング取り付け壁の背面側から視た斜視図、図８は本発明の一実施形態の装飾リングの構造を示す要部斜視図、図９は図８に示した飾り板片の斜視図である。
【００２５】
この一実施形態の計器装置１は、移動体である車両のダッシュボードに配置されるコンビネーションメータで、見返し板１０に形成された複数の開口１１，１２，１３，１４，１５には、車両の移動状況を表示する計器として、速度計２１、回転計２２、液晶表示装置２３、左折指示ランプ２４、右折指示ランプ２５が配置されている。
【００２６】
本実施形態の場合、液晶表示装置２３は、燃料計、ポジションランプ、シートベルト装着等のウォーニング表示、オドメータ、トリップメータなどの複数の計器としての情報を表示する。
また、液晶表示装置２３と近接する位置には、トリップメータをリセットするトリップノブ２７が配置されている。
【００２７】
見返し板１０に形成された開口１１は、速度計２１の文字板２１ａを臨ませる開口である。また、見返し板１０に形成された開口１２は、回転計２２の文字板２２ａを臨ませる開口である。
【００２８】
文字板２１ａや文字板２２ａは、いずれも、移動体の状況（走行速度やエンジン回転数）を表示する表示板である。文字板２１ａや文字板２２ａなどの表示板は、図４に示すように、その背面に位置する計器ケース１５に支持されている。
【００２９】
本実施形態の場合、開口１１と開口１２は、同一径の開口である。これらの開口１１，１２の縁には、図２及び図５に示すように、リング取り付け壁３０が一体形成されている。そして、それぞれのリング取り付け壁３０には、図１及び図３に示すように、装飾リング４０が装着可能である。装飾リング４０は、文字板２１ａや文字板２２ａなどの表示板の外周を装飾する部材である。
【００３０】
リング取り付け壁３０は、図４に示すように、文字板２１ａや文字板２２ａなどの表示板の外周を覆うと共に、見返し板１０の開口１１，１２の縁から表示板とは逆側（図４では、矢印Ｘ１側）に隆起した環状構造となるように形成されている。
【００３１】
そして、リング取り付け壁３０は、外周に、複数のリング係止部３１を備えている。リング係止部３１は、装飾リング４０を結合するための部位である。
【００３２】
本実施形態のリング係止部３１は、図６及び図７に示すように、案内溝部３１ａと、係止孔部３１ｂと、を備えている。
【００３３】
案内溝部３１ａは、リング取り付け壁３０の外周面に、当該外周面の軸線方向（中心軸線方向）に沿って形成された溝である。また、本実施形態の案内溝部３１ａは、図６に示すように、溝の内隅３１ｋに丸みが付けられている。
【００３４】
係止孔部３１ｂは、図７に示すように、案内溝部３１ａの見返し板１０側の端部において径方向内側に窪んで形成されている。本実施形態の場合、図７に示すように、係止孔部３１ｂは貫通した孔に形成されている。
【００３５】
本実施形態の場合、複数のリング係止部３１は、リング取り付け壁３０の周方向に等間隔で配置されている。
【００３６】
装飾リング４０は、図４及び図８に示すように、リング取り付け壁３０の頂部に重なる環状のリング本体４１と、該リング本体４１の裏面４１ａから延出してリング係止部３１に係合する複数の係止片４２と、該係止片４２の外側を覆う複数の飾り板片４３と、を備えている。飾り板片４３は、図９に示すように、係止片４２とリング係止部３１との係合構造を隠すようにリング本体４１に延設されている。また、複数の係止片４２及び飾り板片４３は、リング取り付け壁３０における複数のリング係止部３１の配置に対応して、リング本体４１の周方向に等間隔で配置されている。
【００３７】
以上に説明した一実施形態の計器装置１の場合、装飾リング４０の装着を省いた場合は、図２に示したように、見返し板１０の開口の縁に一体形成されているリング取り付け壁３０が計器装置１の前面側に露出する。このリング取り付け壁３０は、文字板２１ａや文字板２２ａなどの表示板とは逆側に隆起した環状構造であるため、表示板の外周に立体的な意匠を付与する。
【００３８】
従って、一実施形態の計器装置１によれば、装飾リング４０を省略した場合でも、表示板の外周を覆う立体的な意匠を維持して、見栄えの低下を抑止することができる。
また、装飾リング４０をリング取り付け壁３０に装着した場合には、装飾リング４０によって更に見栄えを向上させることができる。
【００３９】
また、一実施形態の計器装置１の場合、リング取り付け壁３０をその前方から視た場合、図２に示したように、リング取り付け壁３０の外周には複数の案内溝部３１ａが周方向に等間隔で並び、案内溝部３１ａ自体が装飾効果を高める凹凸部となり、装飾リング４０の装着を省いた場合でも、装飾効果の低下を抑止することができる。
【００４０】
また、一実施形態の計器装置１の場合、リング係止部３１を構成する案内溝部３１ａは、溝の内隅３１ｋに丸みを付けたことで、装飾性が高まり、装飾リング４０の装着を省いた場合における装飾効果の低下を更に軽減することができる。
【００４１】
また、一実施形態の計器装置１の場合、リング取り付け壁３０に装飾リング４０を装着した場合に、装飾リング４０上の係止片４２とリング取り付け壁３０上のリング係止部３１との係合構造は、装飾リング４０に装備された飾り板片４３によって覆われる。従って、無骨な係合構造が外部に露呈せず、装飾リング４０による装飾効果を更に向上させることができる。
【００４２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
例えば、リング取り付け壁３０に形成する案内溝部３１ａの数量は、例えば、装飾リング４０における飾り板片４３の数量の２倍に増やして、装飾リング４０が装着されない場合における装飾性を増やすようにしても良い。
【００４４】
また、本発明の計器装置において、装飾リングで外周を装飾する表示板の外周形状は、上記実施形態で示した円形に限らない。例えば、表示板の外周形状が、四角形や、三角形などの多角形状であっても良く、また楕円形状でも良い。その場合には、装飾リングも、表示板の外周形状に対応する多角形状又は楕円形状に形成される。
【００４５】
また、本発明の計器装置における表示板は、上記実施形態で示した文字板に限らず、液晶表示パネルであっても良い。
【００４６】
ここで、上述した本発明に係る計器装置の実施形態の特徴をそれぞれ以下［１］〜［４］に簡潔に纏めて列記する。
【００４７】
［１］  移動体の状況を表示する表示板（２１ａ，２２ａ）と、
該表示板を臨ませる開口を有する見返し板（１０）と、
を備える計器装置（１）であって、
前記表示板（２１ａ，２２ａ）の外周を覆うと共に前記見返し板（１０）の前記開口の縁から前記表示板とは逆側に隆起した環状構造となるように前記見返し板（１０）に一体形成されたリング取り付け壁（３０）を備え、
前記リング取り付け壁（３０）には、前記表示板の外周を装飾する装飾リング（４０）を結合するための複数のリング係止部（３１）を備えたことを特徴とする計器装置（１）。
【００４８】
［２］  上記［１］に記載の計器装置（１）であって、
前記リング係止部（３１）は、前記リング取り付け壁（３０）の外周面に当該外周面の軸線方向に沿って形成された案内溝部（３１ａ）と、該案内溝部（３１ａ）の前記見返し板（１０）側の端部において径方向内側に窪んで形成された係止孔部（３１ｂ）と、を備え、
前記複数のリング係止部（３１）は、前記リング取り付け壁（３０）の周方向に等間隔で配置されていることを特徴とする計器装置（１）。
【００４９】
［３］  上記［２］に記載の計器装置（１）であって、
前記案内溝部（３１ａ）は、溝の内隅（３１ｋ）に丸みを付けたことを特徴とする計器装置（１）。
【００５０】
［４］  上記［１］〜［３］のいずれか一つに記載の計器装置（１）であって、
前記装飾リング（４０）は、前記リング取り付け壁（３０）の頂部に重なる環状のリング本体（４１）と、該リング本体（４１）の裏面から延出して前記リング係止部（３１）に係合する複数の係止片（４２）と、該係止片（４２）の外側を覆って前記係止片（４２）と前記リング係止部（３１）との係合構造を隠すように前記リング本体（４１）に延設された複数の飾り板片（４３）と、を備えることを特徴とする計器装置（１）。
【符号の説明】
【００５１】
１  計器装置
１０  見返し板
１１，１２  開口
２１ａ，２２ａ  文字板（表示板）
３０  リング取り付け壁
３１  リング係止部
３１ａ  案内溝部
３１ｂ  係止孔部
３１ｋ  内隅
４０  装飾リング
４１  リング本体
４２  係止片
４３  飾り板片
【図１】
2014134486.tif 000003
【図２】
2014134486.tif 000004
【図３】
2014134486.tif 000005
【図４】
2014134486.tif 000006
【図５】
2014134486.tif 000007
【図６】
2014134486.tif 000008
【図７】
2014134486.tif 000009
【図８】
2014134486.tif 000010
【図９】
2014134486.tif 000011
【図１０】
2014134486.tif 000012